(57)【要約】【課題】水平ブレースをわたす構造物側の距離寸法に違いがあっても、それに、コスト的に有利にしかも施工容易に対応できる水平ブレースを提供する。【解決手段】ターンバックル２ａを備えた水平ブレース本体２と、取付け側に取り付けられる端部部材３，３とが備えられ、水平ブレース本体２の端部に、水平ブレース本体２と端部部材３とを連結する連結孔２ｃが設けられると共に、端部部材３に、該連結孔２ｃとの協働で水平ブレース本体２と端部部材３とを連結する連結孔３ｂが複数、ブレース長さ方向において間隔をおいて設けられ、該複数の連結孔３ｂ…のうちの選択されたいずれか１つの連結孔３ｂと前記連結孔２ｃとを利用して水平ブレース本体２と端部部材３とを連結することにより、水平ブレース１の長さ寸法を変化させることができるようになされている。【選択図】      図１
2008280816.tif 000002
【特許請求の範囲】
【請求項１】
張力付与機構部を備えた水平ブレース本体と、取付け側に取り付けられる端部部材とが備えられ、
水平ブレース本体の端部と端部部材のいずれか一方に、水平ブレース本体と端部部材とを連結する連結孔が設けられると共に、もう一方に、該連結孔との協働で水平ブレース本体と端部部材とを連結する連結孔が複数、ブレース長さ方向において間隔をおいて設けられ、
該複数の連結孔のうちの選択されたいずれか一部の連結孔と前記一方に設けられた連結孔とを利用して水平ブレース本体と端部部材とを連結することにより、水平ブレースの長さ寸法を変化させることができるようになされていることを特徴とする水平ブレース。
【請求項２】
選択可能な前記複数の連結孔が端部部材に設けられている請求項１に記載の水平ブレース。
【請求項３】
端部部材が水平ブレース本体の両側に備えられ、各側に備えられた選択可能な複数の連結孔が、該連結孔の間隔寸法よりも小さい寸法単位で水平ブレースの長さ寸法を変化させることができるよう形成されている請求項１又は２に記載の水平ブレース。
【請求項４】
水平ブレース本体と端部部材のいずれか一方又は両方に、それらをブレース軸線方向に案内するガイド手段が設けられ、前記水平ブレース本体と端部部材とを、該ガイド手段によって案内させながら、ブレース軸方向に相対移動することにより、一方の連結孔を、もう一方の選択可能な複数の各連結孔とを一致させることができるようになされている請求項１乃至３のいずれか一に記載の水平ブレース。
【請求項５】
張力付与機構部を備えたブレース本体と、取付け側に取り付けられる端部部材とが備えられ、
ブレース本体の端部と端部部材のいずれか一方に、ブレース本体と端部部材とを連結する連結孔が設けられると共に、もう一方に、該連結孔との協働でブレース本体と端部部材とを連結する連結孔が複数、ブレース長さ方向において間隔をおいて設けられ、
該複数の連結孔のうちの選択されたいずれか一部の連結孔と前記一方に設けられた連結孔とを利用してブレース本体と端部部材とを連結することにより、ブレースの長さ寸法を変化させることができるようになされていることを特徴とするブレース。
【発明の詳細な説明】
【技術分野】
【０００１】
本発明は、水平ブレースに関する。
【背景技術】
【０００２】
従来より提供されている水平ブレースは、張力付与機構部としてのターンバックルが備えられ、現場で構造部に連結した水平ブレースのターンバックルを回すことにより、水平ブレースを張り状態にするというようにして施工される。
【特許文献１】特開２００１−２７９８０７号公報
【発明の開示】
【発明が解決しようとする課題】
【０００３】
ところで、水平ブレースをわたす構造物側の距離寸法が、構造物によって異なる場合があり、使用する水平ブレースの長さ寸法を上記のようなターンバックルを利用して調整するだけでは対応が困難であったり、また、ターンバックルのみによる調整では操作が厄介で時間を要すると共に高所での作業となることが多いことから危険度が増し、そのため、水平ブレースをわたす構造物側の距離寸法に応じた長さ寸法の水平ブレースを製作して使用することが行われている。
【０００４】
しかしながら、そのような方法では、長さ寸法の異なる複数種類の水平ブレースを製作しなければならず、コストが高くつくという問題がある。
【０００５】
本発明は、上記のような問題点に鑑み、水平ブレースをわたす構造物側の距離寸法に違いがあっても、それに、コスト的に有利に、しかも、施工容易に対応することができる水平ブレースを提供することを主たる課題とする。
【課題を解決するための手段】
【０００６】
上記の課題は、張力付与機構部を備えた水平ブレース本体と、取付け側に取り付けられる端部部材とが備えられ、
水平ブレース本体の端部と端部部材のいずれか一方に、水平ブレース本体と端部部材とを連結する連結孔が設けられると共に、もう一方に、該連結孔との協働で水平ブレース本体と端部部材とを連結する連結孔が複数、ブレース長さ方向において間隔をおいて設けられ、
該複数の連結孔のうちの選択されたいずれか一部の連結孔と前記一方に設けられた連結孔とを利用して水平ブレース本体と端部部材とを連結することにより、水平ブレースの長さ寸法を変化させることができるようになされていることを特徴とする水平ブレースによって解決される（第１発明）。
【０００７】
この水平ブレースでは、水平ブレース本体の端部と端部部材のいずれか一方に設けられた連結孔と、もう一方に設けられた複数の連結孔の一部とを連結することにより、水平ブレースの長さ寸法を変化させることができるようになされているので、水平ブレースをわたす構造物側の距離寸法の違いがあっても、それに合うよう連結孔を選択することで、対応することができる。
【０００８】
しかも、このように、連結孔の選択によって構造物側の距離寸法の違いに対応することができるから、長さ寸法の異なる多種類の水平ブレースを製作する必要がなく、汎用性を高めることができて、コストを低く抑えることができると共に、張力付与機構部による張力付与も、張力付与機構部がターンバックルであるか否かを問わず、手間を要さず容易に行うことができて、作業の安全を確保することができる。
【０００９】
第１発明において、選択可能な前記複数の連結孔が端部部材に設けられているとよい（第２発明）。この場合は、該端部部材を交換するだけで、構造物側のより広い範囲の距離寸法の違いに対応することができる。
【００１０】
第１，第２発明において、端部部材が水平ブレース本体の両側に備えられ、各側に備えられた選択可能な複数の連結孔が、該連結孔の間隔寸法よりも小さい寸法単位で水平ブレースの長さ寸法を変化させることができるよう形成されているとよい（第３発明）。
【００１１】
この場合は、水平ブレースの両側に備えられている各選択可能な複数の連結孔から連結孔を選択することで、水平ブレースの長さ寸法を細かく変化させることが可能になり、張力付与機構部による張力付与も、張力付与機構部がターンバックルであるか否かを問わず、手間を要さずより一層容易に行うことができ、それでいて、各選択可能な複数の連結孔の間隔寸法を大きく確保することができて水平ブレースとして充分な強度をもたせることができる。
【００１２】
第１〜第３発明において、水平ブレース本体と端部部材のいずれか一方又は両方に、それらをブレース軸線方向に案内するガイド手段が設けられ、前記水平ブレース本体と端部部材とを、該ガイド手段によって案内させながら、ブレース軸方向に相対移動することにより、一方の連結孔を、もう一方の選択可能な複数の各連結孔とを一致させることができるようになされているとよい（第４発明）。
【００１３】
この場合は、ガイド手段による案内作用によって、選択可能な複数の連結孔の選択と、選択後の、水平ブレース本体と端部部材のいずれか一方の連結孔と、もう一方の選択された連結孔との連結を容易にすることができる。
【００１４】
また、本発明は、張力付与機構部を備えたブレース本体と、取付け側に取り付けられる端部部材とが備えられ、
ブレース本体の端部と端部部材のいずれか一方に、ブレース本体と端部部材とを連結する連結孔が設けられると共に、もう一方に、該連結孔との協働でブレース本体と端部部材とを連結する連結孔が複数、ブレース長さ方向において間隔をおいて設けられ、
該複数の連結孔のうちの選択されたいずれか一部の連結孔と前記一方に設けられた連結孔とを利用してブレース本体と端部部材とを連結することにより、ブレースの長さ寸法を変化させることができるようになされていることを特徴とするブレースを含む（第５発明）。即ち、ブレースが水平ブレースであるか否かにかかわらず、ブレースをわたす構造物側の距離寸法に違いがあっても、それに、コスト的に有利に、しかも、施工容易に対応することができる。
【発明の効果】
【００１５】
本発明のブレースは、以上のとおりのものであるから、ブレースをわたす構造物側の距離寸法に違いがあっても、それに、コスト的に有利に、しかも、施工容易に対応することができる。
【発明を実施するための最良の形態】
【００１６】
次に、本発明の実施最良形態を図面に基づいて説明する。
【００１７】
図１〜図４に示す実施形態の水平ブレース１において、２は水平ブレース本体であり、該水平ブレース本体２の両側のそれぞれに、取付け側に取り付けられる端部部材３，３が備えられている。取付け側は、図４（イ）に示すように、例えば、階上の床梁４，４からなり、各床梁４には、水平ブレース１を連結するための取付け側プレート部４ａが設けられている。
【００１８】
水平ブレース本体２は、図１〜図３に示すように、張力付与機構部としてのターンバックル２ａを長さ方向の中間部に備えると共に、両端部のそれぞれにプレート部２ｂ，２ｂが備えられ、各プレート部２ｂには、端部部材３を連結する１つの連結孔２ｃが設けられている。
【００１９】
また、各端部部材３は、帯状プレートからなり、その一端側には、床梁４側の取付けプレート部４ａに連結するための取付け側用連結孔３ａが設けられると共に、該取付け側用連結孔３ａと端部部材３の他端側との間には、水平ブレース本体２の端部プレート部２ｂの連結孔２ｃと連結する複数の連結孔３ｂ…が所定の間隔おきに列設されており、いずれか１つの連結孔３ｂを選択し、その連結孔３ｂと、水平ブレース本体２の端部プレート部２ｂの連結孔２ｃとを利用して、ボルト６で、端部部材３と水平ブレース本体２とを連結することができるようになされている。
【００２０】
本実施形態では、一方の端部部材３に設けられている選択可能な複数の連結孔３ｂ…の孔間間隔寸法ａと、もう一方の端部部材３に設けられている選択可能な複数の連結孔３ｂ…の孔間間隔寸法ｂとが、例えばａを４５ｍｍ、ｂを３０ｍｍとするように、互いに異ならされていて、一方の連結孔３ｂ…の間隔寸法ａやもう一方の連結孔３ｂ…の間隔寸法ｂよりも小さい寸法単位、上記の場合には、１５ｍｍ単位で水平ブレース１の長さ寸法を変化させることができるようになされている。
【００２１】
また、本実施形態では、水平ブレース本体２の端部プレート部２ｂの幅方向の両側部にガイド手段としての立ち上がり７，７が設けられ、端部部材３を、該立ち上がり７，７に案内させながら、ブレース軸線方向に移動させることができるようになされていて、水平ブレース本体２側の連結孔２ｃと連結させる、端部部材３側の連結孔３ｂ…の選択を、水平ブレース本体２と端部部材３とのブレース軸線方向の相対移動によって容易に行うことができると共に、選択後のボルト６による連結も容易に行うことができるようになされている。なお、２ｄは、高さ調整用の肉盛りで、そのような相対移動を許容するためのものである。
【００２２】
現場での水平ブレース１の取付けは、例えば、次のようにして行うことができる。即ち、まず、両方の端部部材３，３が水平ブレース本体２に仮の状態にボルト６で連結された水平ブレース１をターンバックル２ａによって伸長状態にし、該水平ブレース１の各端部部材３，３を取付け側である床梁４，４のプレート部４ａ，４ａにボルト６で連結し、たるませた状態にする。
【００２３】
しかる後、一方又は両方の端部部材３と水平ブレース本体２との仮の連結状態を解除して、各端部部材３，３における選択可能な連結孔３ｂ…，３ｂのうちの、たるみが最も小さくなるいずれか一組の連結孔３ｂ，３ｂを、立ち上がり７，７に案内させて選択し、その連結孔３ｂと水平ブレース本体２側の連結孔２ｃとをボルト６で連結し、そして、図４（イ）に示すように、ターンバックル２ａを回して水平ブレース１を張り状態にすればよい。上記の場合には、ターンバックル２ａで水平ブレース１を１５ｍｍ以下の寸法だけ短くするように回せばよく、張力付与作業を短時間で遂行することができる。
【００２４】
このように、上記の水平ブレース１では、水平ブレース１をわたす床梁４，４間の距離寸法が種々異なる場合であっても、それに対応することができ、コストを削減することができると共に、作業を容易にして安全を確保することができる。
【００２５】
また、上記の実施形態では、選択可能な複数の連結孔３ｂ…が端部部材３の側に設けられているので、端部部材３…を交換するだけで、構造物側のより広い範囲の距離寸法の違いにコスト的に有利に対応することができる。
【００２６】
図５に示す他の実施形態では、水平ブレース本体２の端部プレート部２ｂにおけるガイド手段としての立ち上がり７，７の上端部に内向き突出部７ａ，７ａが設けられたもので、この突出部７ａ，７ａが端部部材３の上面側の面内に突出し、端部部材３は、ブレース軸線方向への動きをすることができながら、端部プレート部２ｂと直交する方向への動きを規制されて、現場での孔選択時等における端部プレート部２ｂからの端部部材３の脱落が防がれるようになされている。なお、この突出部７ａ，７ａは、水平ブレース本体２の両側の端部プレート部のそれぞれに設けられているとよい。
【００２７】
以上に、本発明の実施形態を示したが、本発明はこれに限られるものではなく、発明思想を逸脱しない範囲で各種の変更が可能である。例えば、上記の実施形態では、水平ブレース本体２の両側に端部部材３，３を備えさせた場合を示したが、第１発明では、水平ブレース本体の一方の側にのみ端部部材を備えさせ、該一方の側にのみ、選択可能な複数の連結孔を備えさせるようにしてもよい。
【００２８】
また、上記の実施形態では、選択可能な複数の連結孔３ｂ…を端部部材３の側に備えさせた場合を示したが、第１発明では、水平ブレース本体の側に備えさせるようにしてもよい。
【００２９】
更に、上記の実施形態では、水平ブレース本体２と端部部材３との連結を１つのボルトで行うようになされているが、本発明では、水平ブレース本体と端部部材との連結を複数のボルトで行うように連結孔の配置や数が設定されていてもよい。また、第５発明では、ブレースは水平ブレースに限らない。
【図面の簡単な説明】
【００３０】
【図１】実施形態の水平ブレースを示す分解平面図である。
【図２】同ブレースの分解正面図である。
【図３】同ブレースの分解斜視図である。
【図４】図（イ）は取付け方法の一部を示す正面図、図（ロ）は水平ブレースの正面図である。
【図５】他の実施形態の水平ブレースを示す分解斜視図である。
【符号の説明】
【００３１】
１…水平ブレース
２…水平ブレース本体
２ａ…ターンバックル（張力付与機構部）
２ｃ…連結孔
３…端部部材
３ｂ…選択可能な複数の連結孔
７…立ち上がり（ガイド手段）
【図１】
2008280816.tif 000003
【図２】
2008280816.tif 000004
【図３】
2008280816.tif 000005
【図４】
2008280816.tif 000006
【図５】
2008280816.tif 000007